(57)【特許請求の範囲】
【請求項１】
ペリメータクリップであって、該ペリメータクリップが、
（ａ）面とレッジとを備えた屈曲した壁成形体に取り付けられており、
（ｂ）吊天井におけるビーム端部を支持しており、前記ペリメータクリップが、
（ｉ）前記壁成形体に取り付けられかつ該壁成形体に沿って延びた第１の脚と、
（ｉｉ）ビームの端部を支持しかつ前記第１の脚に対して直角に壁成形体レッジから離れる方向に延びた第２の脚とを有している形式のものにおいて、
改良点が、第２の脚を含んでおり、該第２の脚が、
（ｉ）壁成形体レッジの上方にかつ該壁成形体レッジを越えて延びていて、
（ｉｉ）第１の脚から離れる方向に上方に傾斜したスロットを有しており、該スロットが、該スロットを貫通して、クリップに支持されているビームの端部のウェブ内へ延びるねじを収容することができ、この場合、ねじが、地震の際にスロット内において自由にスライドしかつビームの端部をクリップに支持するようになっている、ことを特徴とする、ペリメータクリップ。
【請求項２】
前記スロットが、傾斜したセグメントから壁成形体面に向かって延びた水平なセグメントを有している、請求項１記載のクリップ。
【請求項３】
前記ねじが、地震の際にビームがクリップにおいてスライドしないようにビームをクリップに固定するためにスロットに締め付けられることができる、請求項１又は２記載のクリップ。
【請求項４】
地震の際に、ねじがスロットの傾斜したセグメントを走行する間、ビームの端部が持ち上げられかつ壁成形体レッジの上方にかつ該壁成形体レッジを越えて支持されるようになっている、請求項１又は２記載のクリップ。
【請求項５】
地震の際に、ビームの端部がクリップによって所定の位置に支持され、該所定の位置において、ビームの端部が、壁成形体面から離れる方向で壁成形体レッジを越えており、かつ壁成形体レッジの上方に位置している、請求項１又は２記載のクリップ。
【請求項６】
地震の傾向がある地理的ゾーンにおける吊天井における請求項１又は２記載のクリップの使用。
【発明の詳細な説明】
【技術分野】
【０００１】
本発明は、地震災害に耐えることができる天井に関する。天井は、構造天井から懸吊された相互結合された金属ビームの格子を有する、懸吊された形式のものである。パネルが格子開口部に支持されている。
【背景技術】
【０００２】
吊天井は、構造天井からワイヤによって懸吊されたビームの格子を有している。パネルは格子開口部に支持されている。屈曲した壁成形体が、天井の周縁部に沿って延びており、格子ビームの端部を支持している。このような天井は、引用によって本明細書に記載されたものとする米国特許第４８２７６８１号明細書に記載されている。
【０００３】
ビームは、ストリップスチールから、横断面で見て、垂直方向に延びたウェブと、ウェブの底部に設けられた水平方向に延びたフランジと、ウェブの上部に設けられた膨張部とを有するように曲げられる。ビームは相互結合されて格子を形成する。格子は、建物の個々の部屋の垂直な壁内において、構造天井からワイヤで懸吊される。このような壁は、構造壁及び内部隔壁を含む。屈曲した横断面を有する壁成形体は、格子のビームの端部を支持している。屈曲状部材の上部の延びた脚は、壁に対して取り付けられる面を形成し、屈曲状部材の水平に延びた脚は、ビームを収容しかつビームを支持するレッジを形成している。ビームの端部は、単にレッジ上に載置されるか、又はビームフランジが、セルフタッピンねじ等によってレッジに固定されてよい。レッジの幅は、通常ビームフランジの幅とほぼ等しく、これにより、下方から見た場合、視覚的な効果が望ましいものとなる。
【０００４】
幾つかの例において、ビームの端部を壁成形体に固定するためにペリメータクリップが使用される。このようなクリップは、引用により本明細書に記載されたものとする米国特許第５０４６２９４号明細書に記載されている。このようなペリメータクリップは、ビームの一本一本のそれぞれの端部において壁成形体に固定され、一本一本の端部におけるビームの端部はクリップに固定される。
【０００５】
地震が起こるおそれのある場所に据え付けるために認可された天井において、格子におけるビームは側壁に対して移動させられることが要求される。ワイヤと屈曲した壁成形体は、ビームが壁成形体上でスライドすることを許容しながら、ビームの格子が天井に支持されたままにしておくために、信頼されていた。ビームが、壁成形体のレッジ上に支持されながら揺動することができるように、耐震建物規定は、しばしば、地震の際にレッジから滑落することなくビーム端部がレッジ上でスライドすることができるように、壁成形体上に最小で２インチ（５０．８ｍｍ）のレッジを要求している。このような耐震規定において、格子において相互接続されたビームの一本一本の一方の端部は、壁成形体に固定される必要がある。他方の端部は、２インチ（５０．８ｍｍ）のレッジ上でビームの一本一本の長手方向で前後に自由にスライドしなければならない。しかしながら、このような２インチ（５０．８ｍｍ）の幅のレッジは、下方から見た場合に、格子天井の他の部分と視覚的に一致しない。なぜならば、ビームにおけるフランジは、概して１インチ（２５．４ｍｍ）未満であるからである。
【特許文献１】米国特許第４８２７６８１号明細書
【特許文献２】米国特許第５０４６２９４号明細書
【発明の開示】
【発明が解決しようとする課題】
【０００６】
本発明の課題は従来のペリメータクリップを改良することである。
【課題を解決するための手段】
【０００７】
（１）概略
本発明は、ここで修正されたように、米国特許第５０４６２９４号明細書のペリメータクリップのための新規の使用に関する。
【０００８】
修正された米国特許第５０４６２９４号明細書のクリップの新規の使用は、地震力を受ける吊天井において、格子ビームの端部を支持する屈曲した壁成形体における２インチ（５０．８ｍｍ）幅の水平方向レッジの必要性を排除する。本発明は、このような天井において、現在非耐震天井において使用されているような、約８分の７インチ（２２．２ｍｍ）の壁成形体レッジの使用を可能にする。このレッジは通常、下方から見た場合に、ビームフランジと両立できかつ調和する。
【０００９】
ここで修正されたように米国特許第５０４６２９４号明細書に示されたように、ペリメータクリップは、望ましくは、１つの打抜き加工された、平坦な金属薄板片から、最終形状に曲げられることによって形成される。
【００１０】
格子に結合されたビームの一本一本におけるビーム端部は、米国特許第５０４６２９４号明細書に記載されているように、結合されたビームの一本一本の両端部においてペリメータクリップに固定されていないが、結合されたビームの一本一本の一方の端部は、地震の際にクリップにおいて一本一本の長手方向に自由にスライドする。
【００１１】
クリップは概して直角に屈曲した形状であり、直角の一方の脚は、壁成形体の垂直方向ウェブに引っ掛けられておりかつセルフタッピンねじによって壁部に固定されており、クリップの他方の脚は、格子ビームの端部を収容するために壁に対して直角に延びている。本発明のクリップにおいて、壁から約２と８分の３インチ（６０．３ｍｍ）だけ延びるように修正されたのは米国特許第５０４６２９４号明細書のこの脚である。上述のように、耐震規定によって要求されているように、結合されたビームの一本一本の一方の端部においてビームは適切にクリップに固定されている。本発明のクリップにおいて、これは、スロットにセルフタッピンねじを締め付けることによって生じる。ビームにおいて、結合されたビームの一本一本の他方の端部において、スロット内のセルフタッピンねじは締め付けられておらず、ビームは、スライド可能なピンとして働くねじにおいてクリップにおいて自由にスライドし、これにより、ビームは壁成形体に固定されていない。
【００１２】
本発明において、米国特許第５０４６２９４号明細書のクリップは、ここに開示された修正と共に、吊天井の周縁部に沿って延びた、米国特許第５０４６２９４号明細書に記載されたような、屈曲した壁成形体において使用される。本発明のクリップを用いることによって、屈曲した壁成形体は、約８分の７インチ（２２．２ｍｍ）の幅のレッジを有することができ、地震の際にビームの端部が滑落するのを防ぐために、概して前記のように壁成形体上に２インチ（５０．８ｍｍ）のレッジを必要とする耐震規定要求を依然として満足させる。
【００１３】
通常の静止位置において、ビームの端部におけるフランジは、レッジの上方において、レッジの近くに位置するか又はレッジと接触しており、これにより、ビームフランジとレッジとの間に垂直方向又は水平方向で隙間を形成せず、下方からの見た目が良好となる。
【００１４】
ペリメータクリップ自体は、壁成形体と、ビームフランジと、格子開口部における天井パネルとによって隠されて下方から見えなくなる。クリップにより、壁成形体の水平方向レッジの幅は、格子ビームのフランジの幅と同じになり、これにより、下方からの良好でかつ調和の取れた視覚的効果が得られる。
【００１５】
（２）修正
ビームの端部が載置される、本発明のペリメータクリップの脚は、米国特許第５０４６２９４号明細書において、壁成形体レッジを越えて、壁から少なくとも２と８分の３インチ（６０．３ｍｍ）だけ延びている。天井格子を形成する場合、ビームがクリップの脚に据え付けられ、自由にスライドする端部が静止位置において壁から約４分の３インチ（１９ｍｍ）だけ間隔を置いて配置される。結合されたビームの一本一本の他方の端部は、クリップに固定され、自由にスライドしない。地震の際に、自由に移動する、本発明のクリップにおけるビームの端部は、依然として、壁成形体に取り付けられた本発明のペリメータクリップによって支持されながら、壁に対して４分の３インチ（１９ｍｍ）だけ離反・接近することができる。
【００１６】
通常条件下において、静止位置において、壁成形体のレッジは部屋の周縁部に沿ってビームの端部の下方における魅力的なカバー及びクリップの下方のカバーを提供し続けるが、ビーム端部の実際の垂直方向の支持は、ビーム端部は地震の際にスライドすることができるが、壁成形体の面に引っ掛けられた本発明のペリメータクリップによって与えられる。
【００１７】
（３）スロット
地震の際にビームの端部がスライドするクリップの脚は連続的なスロットを有しており、このスロットは、ビーム静止位置から壁に向かって水平であり、壁から離れる方向では傾斜している。セルフタッピンねじは、スロットとビームとを貫通させられ、ビームの端部を、この端部に対して直角に貫通している。可動なピンとして作用するねじは、スロットに接触し、地震の際にビームが壁から離反するときにビーム端部をレッジの上方に持ち上げる。地震の際のビームの往復運動において、ビームが壁に向かって戻るときには、ビーム端部は壁成形体のレッジの縁部を回避し、これにより、ビーム端部と壁成形体レッジの縁部との衝突はなくなる。
【００１８】
ビームの一本一本の端部は、スロットにおけるセルフタッピンねじを締め付けることによってクリップに固定されることができ、これにより、セルフタッピンねじはビームのウェブをクリップの延長した脚に結合する。
【００１９】
壁成形体面に向かってスロット中間位置の前方において脚におけるスロットは、水平であり、これにより、地震の際にビームが往復運動において壁に向かって移動するときに、ビーム端部の移動は、スロットに嵌合した、可動なピンとして作用するねじによって水平に保たれる。
【発明を実施するための最良の形態】
【００２０】
図２に示したように、垂直な乾式壁若しくはしっくい壁２０は木製の柱構造物２１によって支持されている。壁２０は、建物内の部屋の一方の側を形成しており、概して床から構造天井まで延びている。
【００２１】
例えば前記米国特許第４８２７６８１号明細書に記載されたような格子タイプの吊天井は、逆Ｔ字形のビーム２２を有している。ビーム２２は、一体的に、フランジ２３と、ウェブ２５と、膨張部２６とを有している。ビーム２２は、ビームエレメントを形成するように曲げられた長手方向に延びた平坦な条片から圧延成形されている。カバー片２７はビームのフランジ２３に巻き付けられており、所望の色に着色されている。このようなビーム２２はこの分野においてよく知られており、格子内に配置されるパネルのための格子構造体を形成するように相互結合される。
【００２２】
屈曲した壁成形体３０は、ねじ若しくはファスナ３１によって壁２０に固定されている。壁成形体３０は、所望の吊天井高さにおいて壁２０に沿って水平に延びている。壁成形体３０は、断面で見た場合に、壁成形体垂直面３２と壁成形体水平レッジ３３とを有する屈曲形状を形成している。壁成形体３０は、連続的に延びた条片から形成されており、この条片は、滑らかな縁部を形成するように曲げて折返し部３５が形成されておりかつ、面３２及びレッジ３３を形成するように長手方向中心線に沿って直角に曲げられている。面３２及びレッジ３３はそれぞれ、ビーム２２のフランジ部分２３の幅とほぼ等しい幅を有しているので、例えば、天井が所定の位置に配置されると、壁成形体のレッジ３３とフランジ部分２３とは均一な外観を有する。
【００２３】
ビーム２２は、米国特許第５０４６２９４号明細書に記載されたようなオフセット部分は有していない。なぜならば、これは、地震の際に、後で説明するように、クリップ４０におけるビーム２２の自由スライドと干渉するからである。
【００２４】
本発明のペリメータクリップ４０は、ビーム２２の端部を、結合されたビームの一本一本におけるビーム２２の一方の端部において、壁成形体３０にしっかりと固定し、ビーム２２の端部をラインの他方の端部において、壁成形体レッジ２２から独立してスライド可能に支持するために使用される。
【００２５】
本発明のペリメータクリップ４０は、修正を含んだ、米国特許第５０４６２９４号明細書に示されたものである。
【００２６】
クリップ４０は、脚４１，４２を有する直角の形式である。脚４１は、金属薄板の１つの厚さを有しており、Ｕ字形に切り抜かれたタブ若しくは耳４３を有しており、符号４５で示したＵ字形の上部は脚４１と一体的なままである。孔４４はねじ７９を受容する。壁成形体３０の面３２の厚さよりも僅かに薄い空間が、タブ４３によって形成されている。
【００２７】
比較的小さな尖った突起４７が、タブ４３のそれぞれの側に形成されている。突起４７の尖端はクリップの上方に向けられている。脚４１は概して矩形である。脚４１の縁部は、ここから延びた、脚４２の向き合ったウェブ５２を有している。ウェブ５２は、上部においてオフセット部５３を有している。
【００２８】
脚４１には、上部において、脚４２に向かって延びた曲げ部６０が形成されている。曲げ部６０の区分６１は、脚４２の向き合ったウェブ６３に結合された縁部６２を有している。ウェブ６３は、ウェブ５２におけるオフセット部５３に対応するオフセット部６５を有している。
【００２９】
スロット７０は脚４２において延びている。スロット７０は、同じ位置において、脚４２の両側を貫通している。スロットは、例えば１６分の３インチ（４．７６ｍｍ）幅であることができる。
【００３０】
スロットは、中間静止位置９０から前方へ延びた１インチ（２５．４ｍｍ）長さの水平セグメント９１と、静止位置９０及び壁２０から後方へ延びた１インチ（２５．４ｍｍ）長さの傾斜セグメント９２とが組み合わさって約２インチ（５０．８ｍｍ）の長さを有している。スロット７０の傾斜セグメント９２は、例えば、ビーム２２においてフランジ２３のための所要の昇降を提供し、地震の際にビーム２２が前後にスライドしたときに屈曲した壁成形体３０におけるレッジを回避するために、その長さに亘って約８分の３インチ（９．５２ｍｍ）の距離だけ上昇することができる。
【００３１】
本発明のクリップ４０において、脚４１に対して垂直方向での脚４２の長さは、約２と８分の３インチ（６０．３ｍｍ）であるのに対して、米国特許第５０４６２９４号明細書のクリップにおいて、地震の際のスライドするビームに対する関心がないので、脚４２の長さは決定的ではない。米国特許第５０４６２９４号明細書において、ビーム２２は、結合されたビーム２２の一本一本の両端部においてクリップ４０に固定されており、一本一本のいかなる移動をも防止していた。本発明は、結合されたビームの一本一本の一方の端部においてビーム２２を固定しないので、ビーム２２の端部、ひいては結合されたビームの一本一本は、一方の端部において、地震の際に壁成形体３０に対して自由にスライドし、依然として壁成形体３０に支持されている。ビームの端部を支持するクリップの脚４２は、地震から生じるスライドの際にビームの端部を支持するために、約２と８分の３インチ（６０．３ｍｍ）まで延長されている。
【００３２】
米国特許第５０４６２９４号明細書のクリップのように、本発明のペリメータクリップ４０は、例えば図２に示したように突起４７が上部折返し部３５に乗りこえ、タブ区分４５が上部折返し部３５に載置されるまで面に対して下方にタブ４３をスナップ結合することによって壁成形体３０の垂直面３２に提供される。図１に示したようにセルフタッピンねじ７９は、クリップ４０を孔４４を介してボード２０に固定し、これにより、クリップ４０は静止時又は地震の際に壁成形体３０に沿って水平に移動することはできない。
【００３３】
クリップ４０は、吊天井格子の意図された位置によって予め決定された箇所において屈曲した壁成形体３０に沿って位置決めされる。例えば、ビーム２２が２フィート（６０．８ｃｍ）×４フィート（１２１．６ｃｍ）の格子を形成するように相互結合された場合、クリップ４０は向き合った壁部のセットに沿って４フィート（１２１．６ｃｍ）の間隔で、向き合った壁部の他方のセットにおいて２フィート（６０．８ｃｍ）の間隔で、矩形の部屋において配置される。
【００３４】
ビーム２２の端部は、図２に示したようにクリップ４０に挿入される。ビーム２２のウェブ２５は脚４２の向き合ったウェブ５２と６３との間に挿入され、ビームの膨張部２６は、向き合ったオフセット部５３及び６５に係合する。ウェブ５２及び６３は、ビームに対して弾性的な滑りばめを提供するように互いに間隔を置かれている。ビーム２２の端部は、壁成形体３０のレッジ３３の上方にクリップ４０によって保持されているので、実質的にレッジ３３にはビーム２の重量はかからない。図２に示したように、上述のように、ビーム２２の端部はクリップ３０に挿入されるので、ビームは、成形体３０の垂直面３２から約４分の３インチ（１９ｍｍ）だけ離れた位置に当接する。図２に示したように、セルフタッピンねじ７１は、ビーム２２の端部において、脚４２のウェブ６３におけるスロット７０を通ってウェブ２５に挿入される。ねじ７１は、ビーム２２のウェブ２５を貫通し、脚４２の他方のウェブ５２におけるスロット７０から突き出る。ねじ７１は、スロット７０の幅よりも僅かに小さな直径を有しているので、ねじは、後に説明するように、地震の際にはスライディングピンの形式でスロットに沿って自由に移動することができる。ねじ７１は、スライドさせようとするビームの端部においては、締め付けられていない。
【００３５】
ビーム２２の端部をクリップ４０に固定したい場合には、上記のように、ビーム２２をクリップ４０に固定するようにねじ７１を締め付けるだけでよい。
【００３６】
地震の際には、ねじ７１を締め付けることによってクリップ４０に固定された、結合されたビーム２２の一本一本の端部は、成形体３０及び壁２０に対して移動しない。しかしながら、結合されたビーム２２の一本一本の他方の端部において、ねじ７１は締め付けられていないので、ビーム２２の端部はクリップ４０において自由にスライドする。クリップ４０におけるビーム２２の端部の移動は、静止位置９０から壁に向かって前方へ、また壁から後方へ静止位置９０から離れるように移動する、往復運動である。
【００３７】
図３に示したように、ビームの端部が静止位置９０から壁に向かって移動すると、ビームの端部はねじ７１によってスロット７０の水平なセグメント９１において支持され、その移動は水平である。ビーム２２の端部が、壁２０から離れる方向に、逆に後方へ移動すると、ねじ７１が中間位置９０に到達するまでビームの端部は再び水平に移動し、この中間位置においてビーム２２の端部は、図４に示された最も外側の位置に向かって移動しながら持ち上げられる。スロット７０のセグメント９２において、図４に示したように、ビーム２２の端部は成形体３０のレッジ３３を越えて移動するときに持ち上げられる。
【００３８】
ビーム２２の端部が方向転換し、壁及び成形体３０に向かって戻るとき、ビーム２２におけるフランジ２７は、図２に示された静止位置９０に到達するかで下降させられる。次いで、この動作は、地震が継続する間繰り返される。
【００３９】
ビームの端部が成形体３０のレッジ３２を越えて移動するときにビームの端部を持ち上げるというクリップの動作は、図４に示したように、地震の際にビームと成形体との間に衝突を防止する。
【図面の簡単な説明】
【００４０】
【図１】本発明のクリップを分解した等角図であり、取付けねじと、屈曲した壁成形体のセグメントとが示されている。
【００４１】
【図２】乾式壁構造物の一部を示す断片的な等角図であり、この乾式壁構造物に屈曲した壁成形体のセグメントが固定されている。本発明のクリップは、所望の位置において、ペリメータ屈曲した壁成形体の垂直面に引っ掛けられている。格子ビームの一方の端部は、通常静止位置においてクリップの脚に挿入されており、この端部は、地震災害の際に自由にスライドするか、択一例においては、クリップに固定されている。
【００４２】
【図３】図２と同様の図であり、壁成形体のレッジを越えて、静止位置から離れた、壁から離れた位置において支持されたビーム端部を示しており、ビームは自由にスライドする。
【００４３】
【図４】図２と同様の図であり、地震の際における、静止位置から離れかつ壁から離れた、壁成形体のレッジを越えた位置において支持されている端部を示しており、この端部においてビームは自由にスライドする。
【符号の説明】
【００４４】
２０  壁、  ２２  ビーム、  ２３  フランジ、  ２５  ウェブ、  ２６  膨張部、  ２７  カバー片、  ３０  壁成形体、  ３１  ねじ、  ３２  面、  ３３  レッジ、  ３５  折返し部、  ４０  ペリメータクリップ、  ４１，４２  脚、  ４３  タブ、  ４４  孔、  ４７  突起、  ５３  オフセット部、  ６０  曲げ部、  ７０  スロット、  ７９  セルフタッピンねじ、  ９０  中間静止位置、  ９１  水平セグメント、  ９２  傾斜セグメント
【図１】
0004630076.tif 000002
【図２】
0004630076.tif 000003
【図３】
0004630076.tif 000004
【図４】
0004630076.tif 000005